(57)【特許請求の範囲】
【請求項１】
家具本体に固定され得る下部（２）と、変位可能な態様で前記下部に保持される上部とを備える取り付けプレート（１）、特にヒンジを家具本体に締結するための取り付けプレート（１）において、
前記下部（２）が等しい長さの２つのレバー（２２、２３）を介して前記上部（３）と接続され、前記レバーが、前記下部（２）に対する前記上部（３）の変位において平行四辺形ガイドを形成し、
前記各レバー（２２、２３）の両側が結合部（２４〜２７）と接続され、
前記下部（２）が家具本体に固定され得る中央ウェブ（２０）を有し、前記平行四辺形ガイドのレバー（２２、２３）が前記中央ウェブ（２０）の両側に設けられ、
前記レバー（２２、２３）がブラケット部分（２８）を介して互いに接続され、前記上部（３）が前記ブラケット部分（２８）に固定されることを特徴とする、取り付けプレート。
【請求項２】
前記２つのレバー（２２、２３）が前記下部（２）と一体に設けられることを特徴とする、請求項１に記載の取り付けプレート。
【請求項３】
前記結合部（２４〜２７）は、前記下部（２）と一体に設けられる可撓性部分によって形成されることを特徴とする、請求項１又は２に記載の取り付けプレート。
【請求項４】
前記上部（３）を固定するための少なくとも２つの互いに離間される締結手段（８）が前記ブラケット部分（２８）に設けられることを特徴とする、請求項１〜３のいずれか１項に記載の取り付けプレート。
【請求項５】
前記上部（３）を固定するための締結手段が前記ブラケット部分（２８）に設けられ、
前記締結手段は、前記上部（３）と前記ブラケット部分（２８）との間のねじれに耐えられる接続を行なうことを特徴とする、請求項１〜３のいずれか１項に記載の取り付けプレート。
【請求項６】
前記レバー（２２、２３）および前記ブラケット部分（２８）が前記中央ウェブ（２０）をＵ形状に取り囲むことを特徴とする、請求項１〜５のいずれか１項に記載の取り付けプレート。
【請求項７】
前記上部（３）を前記下部（２）に対して変位させるために回転可能な偏心器（４）が設けられることを特徴とする、請求項１〜６のいずれか１項に記載の取り付けプレート。
【請求項８】
回転可能な前記偏心器（４）は、前記ブラケット部分（２８）と対向する側で、前記下部（２）の前記中央ウェブ（２０）に設けられることを特徴とする、請求項７に記載の取り付けプレート。
【請求項９】
前記上部（３）を前記下部（２）に対して変位させるために螺旋形状の輪郭部を有する回転可能なディスクが設けられ、前記輪郭部がガイド要素と係合することを特徴とする、請求項１〜６のいずれか１項に記載の取り付けプレート。
【請求項１０】
好ましくは長穴を有するガイドが前記上部（３）と前記下部（２）との間に設けられることを特徴とする、請求項１〜９のいずれか１項に記載の取り付けプレート。
【発明の詳細な説明】
【技術分野】
【０００１】
本発明は、家具本体に固定され得る下部を備えるとともに、変位可能な態様で前記下部に保持される上部を有する取り付けプレート、特にヒンジを家具本体に締結するための取り付けプレートに関する。
【背景技術】
【０００２】
独国特許第９４  ０９  ４５９号は、ベースプレートおよび被覆カバープレートが設けられる、ヒンジアームを固定するための締結プレートを開示する。ベースプレートは、カバープレートのそれぞれの凹部に係合し、したがってガイドを形成する横方向ウェブを備える。ベースプレートは家具本体に固定されることができ、また、カバープレートが偏心器によって変位可能である。偏心器が中央領域に配置される限り、カバープレートは変位可能である。しかしながら、大抵は、取り付けプレートの中央領域に偏心器を取り付けるための空間はなく、そのため、取り付けプレートの端部に偏心器を配置しなければならない。その結果、この構造は、変位を更に困難にする引っ掛かりを引き起こす可能性がある。ガイドが幅の狭い構成要素において好ましくないガイド特性を有し、そのため、ガイドエアおよび公差がかなりの程度まで留意される。
【０００３】
独国特許第２９０  ０６  ０８６号はヒンジアームを締結するための取り付けプレートを開示しており、この場合、支持プレートが変位可能な態様で取り付けプレートに保持される。偏心器を回転させることにより、確実な案内を確保するピンに沿って支持プレートを変位させることができる。そのような取り付けプレートの配置は、比較的複雑であり、数多くの構成要素を必要とする。
【発明の概要】
【発明が解決しようとする課題】
【０００４】
したがって、本発明の目的は、下部に対する上部の確実な位置決めを可能にするとともに簡単な構造を有する取り付けプレートを提供することである。
【課題を解決するための手段】
【０００５】
この目的は、請求項１の特徴を有する取り付けプレートによって達成される。
【０００６】
本発明によれば、上部は、取り付けプレートの下部の一部分と接続され、この部分は、本体に固定される下部の部分と２つのレバーを介して接続される。両方のレバーは、下部に対する上部の変位において平行四辺形ガイドをなす。この平行四辺形ガイドは、下部に対する上部の正確な変位が可能になるようにする。この場合、そのようなガイドは、摩耗および裂けが少なく、ほんの僅かな程度までしか製造公差に依存しない。そのような平行四辺形ガイドは、特に安定した態様で配置できる。
【０００７】
本発明の好ましい進展によれば、レバーは、レバーの端部で結合部と接続される。上部と下部の部分との接続の結果として、上部および下部が互いに平行に位置合わせされたままの状態で下部に対する上部の変位が可能となる。２つのレバーが下部と一体に設けられるのが好ましく、それにより、少ない数の構成要素しか必要とされない。下部と一体に設けられる可撓性部分によって結合部を設けることもできる。このようにすると、結合部およびレバーを伴う平行四辺形ガイドが下部に一体的な態様で組み込まれる。無論、レバーおよび結合部を伴う平行四辺形ガイドを上部に一体的な態様で設けることもできる。
【０００８】
更なる進展では、下部が家具本体に固定できる中央ウェブを備え、中央ウェブの両側には、平行四辺形ガイドの１つのレバーが設けられる。このようにすると、反対方向に移動され得る変位機構を簡単な方法で実現できる。レバーはブラケット部分を介して互いに接続されることができ、その場合、上部がこのブラケット部分に固定される。上部を固定するための少なくとも２つの互いに離間される締結手段がブラケット部分に設けられると、上部が下部と平行に位置合わせされたままとなることができる。
【０００９】
レバーおよびブラケット部分が中央ウェブをＵ形状で取り囲むことが好ましく、その場合、中央ウェブとレバーとブラケット部分との間に特定の隙間が設けられる。そうすると、上部を所望の位置に位置合わせするために、上部の変位においてこのブラケットが増大または減少されることができる。
【００１０】
上部および下部を互いに対して簡単かつ迅速に変位させることができるように、回転可能な偏心器が設けられることができる。この回転可能な偏心器は、ブラケット部分と対向する側の下部の中央ウェブ、すなわち、取り付けプレートの端部に設けることができ、それにより、取り付けプレートの残りの領域が使用されヒンジアームまたは更なる構成要素を固定することができる。
【００１１】
正確なガイドのために、好ましくは長穴と該長穴内に突出するピンとを有するガイドが上部と下部との間に設けられることができる。
【００１２】
以下、添付図面に示される実施形態を参照して、本発明を説明する。
【図面の簡単な説明】
【００１３】
【図１】本発明に係る取り付けプレートの分解斜視図を示している。
【図２】ＡおよびＢは初期位置にある取り付けプレートの図を示している。
【図３】ＡおよびＢは変位位置にある取り付けプレートの図を示している。
【図４】図１の取り付けプレートの偏心器の断面詳細図を示している。
【図５】ヒンジアームが取り付けられた取り付けプレートの斜視図を示している。
【発明を実施するための形態】
【００１４】
取り付けプレート１はプレート状の下部２を備えており、この下部２には、同様に略プレート状の上部３が固定されることができる。下部２に対する上部３の変位を可能にするために偏心器４が設けられ、この偏心器は、偏心器４の回転軸から離間されるピン５を備えており、このピンは下部２の中央ウェブ２０の開口６内に係合する。偏心器４は、ディスク状部分が上部３の凹部７内に保持される。下部２および上部３は、金属から形成されることができ、好ましくは屈曲金属シートから形成されることができ、また、プラスチックから形成されることもできる。また、下部が上部の下方で曲げられる一体構成を成すこともできる。
【００１５】
下部２は中央ウェブ２０を備えており、この中央ウェブには２つの互いに離間される開口２１が設けられる。下部２を家具本体に固定するために、上記開口にネジまたは他の固定手段が挿入されることができる。
【００１６】
中央ウェブ２０のそれぞれの長手方向側にはレバー２２、２３が配置され、このレバーはブラケット部分２８へと導かれ、このブラケット部分２８には締結手段８によって上部３が締結される。レバー２２は、第１の結合部２４を介して中央ウェブ２０と接続されるとともに、第２の結合部２５を介してブラケット部分２８と接続される。レバー２３は、第１の結合部２６を介して中央ウェブ２０と接続されるとともに、第２の結合部２７を介してブラケット部分２８と接続される。結合部２４、２５、２６、２７は可撓性を有する材料部分によって形成されており、レバー２２、２３および結合部２４〜２７は下部２と一体的態様で配置される。結合部２４〜２７は、断面が減少されていることから、隣接する領域よりも容易に撓むことができる。このように、ブラケット部分２８の中央ウェブ２０に対する動作中にレバー２２、２３によって平行四辺形ガイドが形成されることができ、このガイドは、中央ウェブ２０に対するブラケット部分２８すなわち上部３の正確で遊びが無い位置合わせを確保する。
【００１７】
ブラケット部分２８およびレバー２２、２３はＵ形状で中央ウェブ２０を取り囲んでおり、レバー２２、２３と中央ウェブ２０との間にはＵ形状隙間２９が形成され、この隙間は、例えば２ｍｍ〜１０ｍｍの幅を有し、したがって、中央ウェブ２０と取り囲むレバー２２、２３との間の相対的な動きを可能にする。
【００１８】
ブラケット部分２８には２つの互いに離間する締結手段８が設けられており、この締結手段は、上部３を締結するためにリベット、ネジ、スポット溶接等として設けることができる。２つの互いに離間される締結手段８を設けることにより、上部３がブラケット部分２８に対して回転することが防止される。また、これは、上部３とブラケット部分２８との間の噛み合い嵌合およびリベットによって達成することもできる。
【００１９】
下部２には偏心器４と反対の側にウェブ９が設けられ、このウェブは上部３の長穴１０内で案内され、それにより、ガイドがなされる。また、例えば長穴内で案内されるピンによって下部２と上部３との間の更なる或いは他のガイドを行なうこともできる。
【００２０】
図２のＡおよびＢは、上部３が下部２に取り付けられる取り付けプレート１の初期位置を示しており、上部３の中央長手方向軸１１が下部２の長手方向軸と位置合わせされ、また、ウェブ２０およびレバー２２が長手方向軸１１と平行に配置される。
【００２１】
図３のＡおよびＢにおいて、取り付けプレート１は、上部３が下部２に対して移動された変位位置で示されている。家具本体と接続固定される中央ウェブ２０は、上部３の中央長手方向軸１１から距離を隔てて配置される中央長手方向軸１２を備える。オフセットＨは変位経路を表わしている。偏心器４が変位のためにねじられ、それにより、ピン５および偏心ディスクが上部３と下部２との間の強制動作を凹部７内で引き起こされ、上部３が平行四辺形ガイドに沿って案内される。この平行四辺形ガイドはレバー２２、２３によって形成され、各レバーは、中央ウェブ２０と対向する側に結合部２４、２６を備えるとともに、ブラケット部分２８、したがって上部３と対向する側に２つの結合部２５、２７を備える。平行四辺形ガイドの結果として、上部３は、長手方向軸１１が下部２の長手方向軸１２と平行に位置合わせされたままとなる。つまり、上部３は、ねじられることなく、長手方向軸１２に対して垂直に変位されるだけであり、長手方向軸１１の方向の変位は、レバー長さに対して小さい変位経路の結果として無視できる。
【００２２】
上部３を下部２に対して変位させることにより、ウェブ９が上部３の長穴１０内で変位され、それにより、偏心器４から離れて面する側でもガイドがなされる。
【００２３】
図４は、偏心器４の領域を断面図で示している。偏心器４は、スクリュードライバなどの工具の係合のための凹部を備えかつ上部を越えて突出する偏心ヘッド４１を備える。上部３の凹部７内に収容される偏心ディスク４０が偏心ヘッド４１の下側に設けられる。偏心ディスク４０にはピン５が形成され、このピンは、下部２の開口６内に挿入されて、開口内で回転可能に保持される。ピン５の回転軸４３は偏心ヘッド４１の回転軸４２から離間されるように配置され、それにより、偏心器４が回転されるときに下部２に対する上部３の変位が生じる。
【００２４】
図５は、ヒンジ部３０が上部３に固定される典型的な設置位置で取り付けプレート１を示している。ヒンジ部３０は、フラップなどの旋回可能な家具部品に固定され得るヒンジカップ３１とレバー機構を介して接続される。偏心器４はヒンジ部３０から距離を隔てて上部３の端部に配置され、それにより、取り付けられたヒンジ部３０でも上部３の変位が生じ得る。
【００２５】
図示の実施形態において、偏心器４は、変位手段として、特に一定直径偏心器として設けられる。勿論、上部３を下部２に対して移動させるために他の変位手段を設けることもできる。例えば、下部２に対する上部３の変位のために、螺旋形状の輪郭部を有する回転可能なディスクを設けることができ、前記輪郭部がガイド要素と係合する。
【００２６】
また、ウェブ９および長方形穴１０の代わりに、上部３と下部２との間に他のガイドが設けられることができる。
【００２７】
この実施形態において屈曲結合部として設けられる結合部を、例えば、ブラケット部分２８、レバー２２、２３、および、中央ウェブ２０などの多要素部品間に関節結合されるリベット接続部として設けることもできる。
【図１】
0005428025.tif 000002
【図２Ａ】
0005428025.tif 000003
【図２Ｂ】
0005428025.tif 000004
【図３Ａ】
0005428025.tif 000005
【図３Ｂ】
0005428025.tif 000006
【図４】
0005428025.tif 000007
【図５】
0005428025.tif 000008